(57)【要約】      （修正有）【課題】魚信を強化する水中浮きに関するものである。即ち、初期当たりを水表面の魚信浮きによく現わせる為に、水圧を受ける圧力板と圧力板に設置された方向ピンで構成され、上記圧力板或は方向ピンの内部に原糸が貫通する構造が提供される。【解決手段】魚の当たりが原糸の垂直動きに誘導され、初期当たり魚信浮きに現われる効果の有る水中浮きの構造に関する。水圧を受けることの出来る一定の広さを持つ圧力板、上記圧力板の一側面の中に突出して設置された方向ピンを含めて構成され、上記方向ピンの上端部又は圧力板の上端部に上部貫通孔が形成され、圧力板の両面の中の或１面に下部貫通孔が形成され、上記上部貫通孔と下部貫通孔とは方向ピンと圧力板の内部で相互連結される。【選択図】図４
2010022369.tif 000002
【特許請求の範囲】
【請求項１】
水圧を受けることのできる一定の広さを有する圧力板(1)、上記圧力板(1)の一側面の中に突出して設置された方向ピン(2)を含めて構成され、上記の方向ピン(2)又は圧力板(1)の上部に上部貫通孔(3)が形成され、圧力板(1)の両面の中或一面の下部又は方向ピン(2)の下部に下部貫通孔(4)が形成され、上記上部貫通孔(3)と下部貫通孔(4)は方向ピン(2)と圧力板(1)の内部で互いに連結されるのを特徴とする、魚信を強化する水中浮き。
【請求項２】
請求項１において、上記下部貫通孔(4)は圧力板(1)の一面に多数個が上下方向に 一列に並んで配列するように形成されるのを特徴とする、魚信を強化する水中浮き。
【請求項３】
請求項１において、上記圧力板(1)の下部には重量體(5)が外部に付けられるか内部に埋め立てられた状態に設置されるのを特徴とする、魚信を強化する水中浮き。
【発明の詳細な説明】
【技術分野】
【０００１】
本発明は魚信を強化する水中浮きに関するものである。即ち、初期当たりを水表面の魚信浮きに良く現わせるようにする為に、水圧を受ける圧力板と圧力板に設置された方向ピンで構成され、上記圧力板や方向ピンの内部へ原糸が貫通する構造が提供される。よって、魚の当たりが原糸の垂直動きに誘導され、初期当たりが魚信浮きに現われる效果のある水中浮きの構造に関するものである。
【背景技術】
【０００２】
釣とは、魚そのものに対する楽しみであると同時に、釣る方法とその釣用具（糸、針、浮き、餌、錘等）に対した楽しみでもある。海に出ると、その日の天気によって多様なフィ-ルドの状況が発生するが、これを克服し、自身だけの釣用具で攻略するべき魚種をどのように釣るのかを苦心する事になる。この事により、自分なりの釣り方(釣用具)を通じて期待するところを成し遂げる過程に於いて釣の楽しさが倍加する。
【０００３】
よって、フィールドの状況によって最も良く合う適合な釣用具を構成し、適切に 運用するのが釣の楽しさをより大きくし、腕前に対した楽しみであると同時に、装備及び釣用具に対した楽しみが釣である。
【０００４】
この様に、釣は単に重り錘、浮き、釣糸、釣り竿の画一的な組み合わせによって出来ている釣用具で、ただ魚ばかりを取るためのスポーツではない。どうせやるなら、もう少し洗練し、先端化した敏感な釣用具と釣り道具を使って良く釣り、腕前を加減なく楽しむ為に魚を釣る前の準備段階から、全科程を楽しむのが釣り人の大きな喜びである。  
【０００５】
重り錘の事を見てもその機能が進化し、フィールドの条件に適合な機能を備える目的で作られながら、今日に至っては重り錘が単に釣用具を沈ませるだけの機能の概念を越え、水中の条件によって反応する浮き(水中浮き)としての認識が強まってきている。この様な浮きには一般の孔錘、速攻型孔錘、こませ同調型水中浮き、支度整列型水中浮き、潮流型水中浮き、潛水浮き、沈み浮きなどが有り、それらの特徴は下記の通りである。
【０００６】
一般の孔錘の場合は、基本的で単純な形態を取り、釣り針を水中に沈ませることを主な目的とする。
【０００７】
速攻型孔錘は、釣用具が迅速に沈むように流體抵抗を考慮した形態を以て、風が原糸を飛ばし釣用具を浮かべる力に打ち勝って、釣用具を迅速に下ろして、雑魚のうるさい纏い付きを克服し、目標の水深まで速く釣用具を沈ませたい時に使われる。
【０００８】
こませ同調型水中浮きは、攻略地点に投与されたこませと釣り針の餌が同調出来るように、最大限軽いと同時に流體に当たる面積を広げ、釣用具(餌)が潮流に乗ってこませと共に動かせる目的が強く、針の動きが自然に演出されるようにする。
【０００９】
支度整列型水中浮きは、釣用具を高度に軽くする目的と同時に、流體抵抗が少い様にデザインし、小さい重さにも拘わらず、無理なく釣用具を沈ませる。現在の錘は、自體の重さで釣用具を下ろすが、このような形態の浮きは重さに依存した釣用具の降というよりは、浮きの上面に当たる潮流の抵抗によって釣用具を下ろすか、波浪及び波涛によって魚信浮きが原糸をだぶつかせる時、手中浮きの上面に当たる抵抗によって原糸を少しずつ下ろすものと見られ、原糸が後糸の牽制の時自體の重量が軽く潮流を受けるので、釣用具の整列に有利である。
【００１０】
潮流型水中浮きは、潮流がある状況で釣用具が潮流に乗ってこませに同調したり、このような潮流の状況の中で羽を利用して釣用具を整列したり、目標地点に流し送る役割をする。
【００１１】
潛水浮きと沈み浮きは、魚の攻略水深が一定でなく、多樣な層を探索したいとき有利に出来ており、遠投力(投げる力)を持つために浮きが大きく水中での比重は水と同一或はやや重くして、水の中を自由に遊泳し、多くの水深層を深索する目的に使われる。
【００１２】
このように、水中浮きは新しい構造に開発され多樣な目的に使われるが、現存の水中浮きの当たり反応を図1乃至図3を参照して、詳細に良く見ると次の通りである。
【００１３】
魚が針(餌)に噛みついて、水面に対し直下方へ移動すると、当たりの初期から現われる魚の移動距離が相當の部分減少する事なく、そのまま魚信浮きに傳わる。しかし、大部分移動性が降下し、活性度が高い魚(漂う魚種を攻略する浮き釣-鯖、鰺等)等は、餌を噛んで平行移動する傾向が強い。
【００１４】
よって、図１に図示したように、原糸の太さによる面積によって、原線糸の側面に及ぶ水の抵抗によって、魚の水平移動距離が多少原糸の垂直移動に変換するが、原糸の太さが細いため、当たりの初期には垂直移動に変化するのはもっと困難である。また、魚が、針に噛みついて移動を始める時点の当たりの初期には、浮力を有する魚信浮きが沈む力に抵抗する事によって、魚信浮きがほんの少し微細に点滅するかほんの微小な 移動だけを見せるので、あたり初期の魚の移動距離が魚信浮きによく現われない。
【００１５】
尚、図２に図示したように、ある程度原糸が魚の進行方向へ引かれると、原糸と魚の移動方向の間の角度(θ)が狭くなり、この時始めて本格的な魚信浮きの潛水(入水)が現われる。即ち、魚信浮きの浮力と原糸の下方向の力が均衡を成す間(当たり初期)は、 原糸が水平移動をしていて、或程度魚の方向と原糸との角度(θ)が減って均衡が崩れながら魚信浮きが本格的に入水する事になる。
【００１６】
若し、波浪が有ったり波がだぶつく状況では、初期移動に現われる微細な魚信浮きの動きは、より一層認知しにくくなる。また、図３のように、はりすの釣用具の整列が未だなされていない入水中に魚が当たると、当たりが魚信浮きに現われなかったり、微かに現われる為あたりが確認し難くなる。
【００１７】
このように、従来の水中浮きは、フィールドの状況に適するよう釣をする人の意図と目的を最大限充足させる為の機能が備えてあるが、あくまでも当たる前(当たりを誘導する)までに関する機能であり、あたり以後の機能はない。よって、このような従来の限られた機能によって現われる問題点を再び整理してみると、大きく次のように二つに分けられる。
【００１８】
まず魚は、針に噛みついて常に直下方の底へばかり向かわないから、魚が針に噛みついて移動する初期には、実際に魚が針に噛みついて移動した距離だけ魚信浮きに傳達されず、魚信浮きに現われるとしても図２のように針の移動がかなり進行し、原糸が或程度魚の移動方向との角度(θ)が出来た後、魚信浮きが入水反応を現わす。よって、釣り上げのタイミングを逃す問題点がある。
【００１９】
尚、図３に図示したように、重り錘(水中浮き)が沈んでいく途中に、はりすの釣用具の整列が、未だなされる前に当たりが来ると、その傳達量はずっと減少する問題点がある。
【先行技術文献】
【特許文献】
【００２０】
【特許文献１】韓国実用新案登録 第0413276号、2006.03.30
【特許文献２】韓国特許登録 第0673584号、2007.01.17
【発明の概要】
【発明が解決しようとする課題】
【００２１】
従って本発明は、上記のような従来の水中浮きの機能をより一層拡張し、当たり後、確実な魚信が送れるようにする構造を提供し、又別の釣用具の組み合わせを可能にし、釣果に役ただせるのに大きな役割をする事の出来る水中浮きを提供するのに目的がある。
【課題を解決するための手段】
【００２２】
上記の如く魚信を強化する本発明の水中浮きは、魚が針に噛みついてどの方向へ移動しても魚の移動距離を原糸の上下移動に変換し、当たりの初期から直ちに魚信浮きに傳えるようにする構造を提供する。
【００２３】
このような目的を達成する為、本発明は水圧を受けることができる一定の広さを有する圧力板と上記の圧力板に垂直に設置された方向ピンで構成され、原糸が圧力板や方向ぴんの上下部に挿入でき、原糸の出る下部貫通孔の出口が原糸の作用点になり、魚の当たり方向に対する相対的飛行方向が調節出来るようにした貫通孔が形成された構造を提供する事になる。
【発明の効果】
【００２４】
本発明によると、魚が針を噛んでいずれの方向へ移動しても魚の移動距離が原糸の上下移動に変換し、直ぐ魚信浮きに傳えられる效果が有る。即ち、当たり方向が如何なる方向でも関係なく魚の当たりによって、はりすが本発明を動かす最初の作用の瞬間方向ピンによって、圧力板が魚の進行する方向に圧力を受けるように転換され、方向転換された圧力板が、これに作用する水圧によって魚の移動方向に対し特定の方向へ飛行する事によって、当たりの初期から原糸の上下方向変位を極大化し、水表面に有る魚信浮きに現われるように、魚信を強化する效果が有る。
【００２５】
よって、原線の方向と平行しない多樣な角度の当たりの時、波及び水表面の揺動から判別し、難かった当たり初期の微細な魚信浮きの反応(予信とも言う)が省略され、
直ぐ明快に魚信浮きが潛水する效果が有り、この為正確な釣上げのタイミングが捕捉できるようになり、水表面が均一でない如何なる悪条件下ででも、魚信の判別力が高まる效果が有る。
【図面の簡単な説明】
【００２６】
【図１】従来の水中浮きを使った例示図。
【図２】従来の水中浮きを使った例示図。
【図３】従来の水中浮きを使った例示図。
【図４】本発明の水中浮きの斜視図。
【図５Ａ】本発明の多様な実施例の断面図。
【図５Ｂ】本発明の多様な実施例の断面図。
【図６Ａ】本発明の多様な実施の例示図。
【図６Ｂ】本発明の多様な実施の例示図。
【図６Ｃ】本発明の多様な実施の例示図。
【図７Ａ】本発明の多様な実施の例示図。
【図７Ｂ】本発明の多様な実施の例示図。
【図７Ｃ】本発明の多様な実施の例示図。
【図８】本発明の使用の例示及びその作用の説明図。
【図９】本発明の作用をたこに比喩した説明図。
【発明を実施するための形態】
【００２７】
本発明による魚信を強化する水中浮き(100)は、水圧が受けられる一定の広さを有する圧力板(1)、上記圧力板(1)の一側面の中に突出して設けられ、当たりするや否や直ちに方向を転換し、飛行の時姿勢を維持させる方向ピン(2)を含めて構成される。
【００２８】
また、上記圧力板(1)の上部(上端部又は上部側)或は、方向ピン(2)の上部(上端部又は上部側)に上部貫通孔(3)が形成され、圧力板(1)の両面の中或一面の下部(下部側又は下端部)と方向ピン(2)の下部(下部側又は下端部)に下部貫通孔(4)が形成され、上記上部貫通孔(3)と下部貫通孔(4)は、方向ピン(2)と圧力板(1)の内部で互いに連結されるのを特徴とする。
【００２９】
また、圧力板(1)の下部には重量體(5)が外部に付着されるか、内部に埋め立たてられた状態に設置され、水中浮き(100)の沈降の時姿勢を整え原糸(50)を下ろすための最小限の重さを提供する。上記重量體(5)は、多樣な重さにできており、個人の運用によって、適切な水中浮き(100)を選んで使えるようにするのが望ましい。
【００３０】
上記の下部貫通孔(4)は、圧力板(1)に多数個が同時に形成されることもでき、上記多数個の下部貫通孔(4)は、一つの上部貫通孔(3)と各各連結された構造である。多数個の下部貫通孔(4)が圧力板(1)に形成された場合は、上下方向に一列に一様に配列されるように形成し、各各の下部貫通孔(4)は原線(50)が圧力板(1)に力を加える力の作用点になる。
【００３１】
上記の圧力板(1)の形状は、多樣に出来るものであり、一定な水圧を受ける事のできる広さを持てば良いし、方向ピン(2)は当たりの瞬間、方向転換を迅速にし、飛行の時の姿勢が維持できる最小限の広さで良いので、上記圧力板(1)や方向ピン(2)は形状や広さを特定する必要はない。
【００３２】
上記のような構造に於いて、原糸(50)が上部貫通孔(3)と下部貫通孔(4)を貫通するようにし、下部貫通孔(4)の隣接した下部の原糸(50)に回転環(51)と重り錘(52)が設置されることもできる。
【００３３】
上記の構造を有する本発明の一実施例が、図４に斜視図で図示してある。圧力板(1)及び方向ピン(2)の形状は三角や四角等を含め、多角形、円形、橢円形等々、本水中浮き(100)の機能を実現できれば、如何なる形状や構造でも可能で有るし、図６と図７に図示したように、特定の形状を持つように多様に実施できる。
【００３４】
また、上部貫通孔(3)は、図６と図７に図示したように圧力板(1)の上端部に形成されるか、方向ピン(2)の上端部に形成されることができる。勿論、上端部でない上部側のどこかに形成されても良い。また、下部貫通孔(4)は、圧力板(1)の一側面の下部側か下端部に形成されるか、方向ピン(2)の下部側又は下端部に形成される。
【００３５】
上記のように、上部貫通孔(3)と下部貫通孔(4)の位置によって、多様な構造を持つことができ、これによって水中浮き(100)の挙動にも若干の差異がある。
【００３６】
先ず、上部貫通孔(3)が方向ピン(2)の上部(上部側又は上端部)に形成され、下部貫通孔(4)が方向ピン(2)の下部(下部側又は下端部)に形成された場合は、図６の(b)と(c)である。また、上部貫通孔(3)が方向ピン(2)の上部(上部側又は上端部)に形成され、下部貫通孔(4)が圧力板(1)の下部(下部側又は下端部)に形成された場合は、図5と図7の(b)である。また、上府貫通孔(3)が圧力板(1)の上部(上部側又は上端部)に形成され、下部貫通孔(4)が方向ピン(2)の下部(下部側又は下端部)に形成された場合は、図６の(a)である。また、上部貫通孔(3)が圧力板(1)の上部(上部側又は上端部)に形成され、下部貫通孔(4)が圧力板(1)の下部(下部側又は下端部)に形成された場合は、図7の(a)である。
【００３７】
上記のような多樣な実施例においては、圧力板(1)の圧力中心の位置した圧力面と、下部貫通孔(4)との距離(以下「作用距離」と言う)が異なるようになり、魚の移動方向によって圧力板(1)が先立ち、方向ピン(2)が後に従う場合と、方向ピン(2)が先立ち、圧力板(1)が後に従う場合もある。
【００３８】
如何なる場合であっても、本発明は当たりの瞬間方向の転換を迅速にし、力の方向に対する特定な進行方向を持つ様に圧力面に対する作用点(作用位置)作用距離に対する力学を考慮して、圧力板(1)と方向ピン(2)の形状を決定すると良い。
【００３９】
即ち、作用点は下部貫通孔(4)になるので、上記作用点と圧力板(1)の圧力中心との距離が大きいほど、瞬間圧力板(1)の方向転換が迅速になされる。従って、下部貫通孔(4)が方向ピン(2)に形成された場合が、より迅速に圧力を受ける様に整列される。なお、この場合は方向ピン(2)が圧力板(1)より進行方向に対して先行する場合である。
【００４０】
上記のいずれの場合でも、本発明の水中浮き(100)は、凧を揚げる作用によって魚信が強化する。即ち、風を利用して凧を揚げると、力の作用する方向と凧の飛行方向が異なり、風を受ける凧の圧力面に対して力の作用点の位置によって同一な強度の風に於いても、凧の高度（凧糸に作用する力と凧の進行方向との角度)が違ってくる。
【００４１】
即ち、図9に図示してあるように、凧を揚げてみると凧の圧力面の圧力中心に対し、はりすの作用点(B)がどの位置にあるかによって、同一な風のなかで凧の高度が違ってくるように、魚の当たりの方向に対し水中浮き(100)の作用点と圧力面との相関関係を調整し、原糸(50)の水平移動を減らし、上下方向の移動を強化出来る。
【００４２】
図９の(a)の場合は、ABの距離がBCの距離よりやや長い場合であり、風をよく受け適正高度まで上がるが、垂直に近く上がれずに止まる。(b)の場合は、ABの距離がBCの距離よりずっと長い場合で、90度まで上がることができる。(c)の場合は、ABの距離がBCの距離より短い場合で、上がることもできない。(d)の場合は、ABの距離がBCの距離より長すぎる場合で、高度を上げる内に結局飛ばす人の頭の上を通りすぎて、結局まっ逆さまに落ちてしまう。
【００４３】
この様な原理により、本発明の水中浮き(100)は、下部貫通孔(4)が圧力板(1)か方向ピン(1)のどの位置に形成してあるかによって異なってくる作用距離等によって、魚の力の方向に対して水中浮き(100)の走行方向が決定される。
【００４４】
よって、当たり後、魚の移動方向による原糸(50)の水平移動を特定した方向へ転換する機能が水中浮き(100)に有るようになり、水表面の魚信浮き(60)の移動を極大化するばかりでなく、当たりの瞬間から直ぐ魚信浮き(60)に当たりが現われる。
【００４５】
図８には、本発明の使用例が図示してある。先ず、実線で表示した部分は当たりのない状態を図示したもので、点線で表示したのは当たりの後の挙動を図示したのである。
【００４６】
実線の状態と共にある内、本発明の水中浮き(100)は特定の方向性を持たない。しかし、魚の当たりがあって動くようになると方向ピン(2)が魚の動く方向と並んだ平板になる状態に整列がなされる。よって、方向ピン(2)のみ垂直に一體化された圧力板(1)の一側面が魚の運動方向と垂直に位置するようになる。
【００４７】
このように、方向ピン(2)が魚の動きによって圧力板(1)の方向を迅速に整列し、水圧を受けるようにする役割をし、水圧を受ける圧力板(1)は原糸(50)が引き出される下部貫通孔(4)の圧力板(1)での位置によって飛行方向及び角度が決定され、これによって水表面の魚信浮き(60)を潛水させる。
【００４８】
即ち、魚の当たりで原糸(50)の作用点になる下部貫通孔(4)に力が作用すると、方向ピン(2)が水中浮き(100)を力の作用する方へ回転させ、これによって圧力板(1)は魚の運動方向と垂直になり、最大の圧力を受けるようになる。
【００４９】
このように、圧力板(1)が魚の運動によって水圧を受けるようになるので、従来原糸(50)の側面に受けた水圧とは比べられないような大きい圧力になる。従って、魚の当たりの初期に原糸(50)に作用する力が圧力板(1)を整列させ、水圧を最大に受ける姿勢で圧力板(1)が動くようになり、凧が凧糸に結ばれて飛ばされるように挙動するようになる。
【００５０】
これは、上記において説明したように、図９の凧を揚げるとき観察されるような原理で凧の圧力面の圧力中心に対し、はりすに凧糸が結ばれる地点の作用点(B)がはりすのどの位置に有るかによって、同一な風によっても凧の高度及び飛行角度が違ってくるように魚の当たりの方向に対し水中浮き(100)の作用点の下部貫通孔(4)と圧力面(圧力板の圧力中心の位置した面)及び作用距離との相関関係を調整し、原糸(50)の水平移動を減らし、下の方向への移動を強化する事ができる。
【００５１】
即ち、作用点になる下部貫通孔(4)の位置によって、水中浮き(100)が進行する方向が決定されるが、図８に図示されたのより左の方に下部貫通孔(4)が形成されると、より垂直に近く下降し、下の方に形成されると斜めに下向する動きを見せる。よって、魚の活性度及び特性によって当たりの際、魚が受ける異物感(抵抗力)を多数個の下部貫通孔(4)を選んで使うことによって調節が出来る。
【００５２】
このように、下部貫通孔(4)の位置によって多樣な動きが現われるので、一つの水中浮き(100)に一つの下部貫通孔(4)を形成するか、図5のように一つの水中浮き(100)に多数個の下部貫通孔(4)を形成して使う事ができる。即ち、下部貫通孔(4)の形成された位置が他の多数個の水中浮き(100)を備えていて、状況に適する水中浮き(100)を選んで使うか、図5のような水中浮き(100)を使用っても状況によって他の下部貫通孔(4)に原糸(50)を通らせて使う事ができる。
【００５３】
上記のように圧力板(1)が整列されると、流體抵抗により圧力板(1)が原糸(50)の 水平移動に抵抗し、魚の移動方向を水中浮き(100)の移動方向へ誘導するばかりでなく、魚が水平に移動してもその変位は垂直方向へより大きく変換される。よって、水中浮き(100)の垂直方向への移動は直ぐ魚信浮き(60)の動きに現われ、当たりを容易に確認出来るようになる。
【００５４】
上記の様に、下部貫通孔(4)が作用点になり、下部貫通孔(4)が方向ピン(2)或は圧力板(1)の特定位置するようにする事によって作用距離の概年を以て迅速な方向転換を助けると同時に飛行の時、より安定的な姿勢を維持するようにする事によって、釣用具の多様な活用が可能であり、魚種や潮流又は波等の状況によって釣を楽しめるようになる。
【符号の説明】
【００５５】
１  圧力板
２  方向ピン
３  上部貫通孔
４  下部貫通孔
５  重量體
５０  原糸
５１  回転環
５２  重り錘
６０  魚信浮き
１００  水中浮き
【図１】
2010022369.tif 000003
【図２】
2010022369.tif 000004
【図３】
2010022369.tif 000005
【図４】
2010022369.tif 000006
【図５Ａ】
2010022369.tif 000007
【図５Ｂ】
2010022369.tif 000008
【図６Ａ】
2010022369.tif 000009
【図６Ｂ】
2010022369.tif 000010
【図６Ｃ】
2010022369.tif 000011
【図７Ａ】
2010022369.tif 000012
【図７Ｂ】
2010022369.tif 000013
【図７Ｃ】
2010022369.tif 000014
【図８】
2010022369.tif 000015
【図９】
2010022369.tif 000016